(57)【要約】      （修正有）【課題】ケーブルの一部が巻上げられている状態で充電（通電）を行っても、ケーブルの発熱量を抑制する巻上げ装置付き充電ケーブルを提供する。【解決手段】巻上げ装置付き充電ケーブル１は、電源側に接続される電源プラグ３を一端に有し、車両の給電側に接続される給電プラグ４を他端に有するケーブル２と、ケーブルを巻上げる巻上げ装置５と、巻上げ装置に巻上げられているケーブルを冷却する冷却手段１８と、を備える。さらに、ケーブルの温度を検出する温度検出手段２１と、温度検出手段の検出情報が入力され、入力された温度が所定温度よりも高い場合に、冷却手段を動作させる制御手段２２と、を備える。【選択図】図２
2020182298.tif 000002
【特許請求の範囲】
【請求項１】
電源側に接続される電源プラグを一端に有し、車両の給電側に接続される給電プラグを他端に有するケーブルと、
前記ケーブルを巻上げる巻上げ装置と、
巻上げ装置に巻上げられている前記ケーブルを冷却する冷却手段とを備えた
ことを特徴とする巻上げ装置付き充電ケーブル。
【請求項２】
請求項１に記載の巻上げ装置付き充電ケーブルにおいて、
前記ケーブルの温度を検出する温度検出手段と、
前記温度検出手段の検出情報が入力され、入力された温度が所定温度よりも高い場合に、前記冷却手段を動作させる制御手段とを備えた
ことを特徴とする巻上げ装置付き充電ケーブル。
【請求項３】
請求項２に記載の巻上げ装置付き充電ケーブルにおいて、
前記制御手段は、
前記温度検出手段で検出された温度に基づいて前記冷却手段の動作能力を可変にする機能を有している
ことを特徴とする巻上げ装置付き充電ケーブル。
【請求項４】
請求項２または請求項３に記載の巻上げ装置付き充電ケーブルにおいて、
前記ケーブルの巻上げ状態を検出する巻上げ状態検出手段を備え、
前記制御手段には、前記巻上げ検出手段の検出情報が入力され、
前記制御手段は、
前記巻上げ検出手段により前記ケーブルが巻上げられていることを検出した場合に、前記冷却手段を動作させる
ことを特徴とする巻上げ装置付き充電ケーブル。
【請求項５】
請求項１から請求項４のいずれか一項に記載の巻上げ装置付き充電ケーブルにおいて、
前記巻上げ装置は、
前記ケーブルが巻回されるリール部材と、
前記リール部材を収容するケースと、
前記ケースに搭載され、充電用の安全機器とを有している
ことを特徴とする巻上げ装置付き充電ケーブル。 
【発明の詳細な説明】
【技術分野】
【０００１】
本発明は、巻上げ装置付き充電ケーブルに関する。
【背景技術】
【０００２】
電動車両の充電を行う場合、例えば、家庭用電源のコンセントに挿入される電源コネクタと、車両の給電口に挿入される給電コネクタを備えた充電ケーブルが用いられるのが一般的である。充電ケーブルのケーブル長は数メートルほどあり、充電時以外は自宅内や車両内部に保管することになる。充電の都度、数メートルの充電ケーブルを取り出して持ち運び、充電後にケーブルを小さくたたむ等して収納する作業は、煩わしい作業になっている。
【０００３】
このため、従来から、長尺のケーブルをリール等に巻上げる機能を有する巻上げ装置付きの充電ケーブルが種々提案されている（例えば、特許文献１）。特許文献１の技術では、ケーブルを巻上げてコンパクトに収容することができるので、充電時の充電ケーブルの持ち運びや、充電時以外の充電ケーブルの収納が容易となり、煩わしさを低減することができる。
【０００４】
しかし、車両と電源までの距離により、ケーブルの一部が巻上げられている状態で充電ケーブルにより充電を行うことが想定される。ケーブルの一部が巻上げられている状態で充電（通電）を行うと、ケーブルの発熱量が大きくなることが考えられる。ケーブルを繰り出しきったことを条件に充電ができるようにすることも考えられるが、充電時の煩わしさの低減を阻害してしまう。
【先行技術文献】
【特許文献】
【０００５】
【特許文献１】特開２０１３−１７２６１８号公報
【発明の概要】
【発明が解決しようとする課題】
【０００６】
本発明は上記状況に鑑みてなされたもので、ケーブルの一部が巻上げられている状態で充電（通電）を行ってもケーブルの発熱量を抑制することができる巻上げ装置付き充電ケーブルを提供することを目的とする。
【課題を解決するための手段】
【０００７】
上記目的を達成するための請求項１に係る本発明の巻上げ装置付き充電ケーブルは、電源側に接続される電源プラグを一端に有し、車両の給電側に接続される給電プラグを他端に有するケーブルと、前記ケーブルを巻上げる巻上げ装置と、巻上げ装置に巻上げられている前記ケーブルを冷却する冷却手段とを備えたことを特徴とする。
【０００８】
請求項１に係る本発明では、ケーブルが巻上げられた状態で充電（通電）を行った場合に、冷却手段により巻上げ装置を冷却することができる。このため、ケーブルの一部が巻上げられている状態で充電（通電）を行ってもケーブルの発熱量を抑制することが可能になる。
【０００９】
そして、請求項２に係る本発明の巻上げ装置付き充電ケーブルは、請求項１に記載の巻上げ装置付き充電ケーブルにおいて、前記ケーブルの温度を検出する温度検出手段と、前記温度検出手段の検出情報が入力され、入力された温度が所定温度よりも高い場合に、前記冷却手段を動作させる制御手段とを備えたことを特徴とする。
【００１０】
請求項２に係る本発明では、温度検出手段によりケーブルの温度（ケーブルが収容される部位の温度）が所定温度よりも高い場合、制御手段により冷却手段を動作させることができる。例えば、ケーブルの巻上げ状態に係らず、温度が高い場合には、冷却手段を動作させてケーブルの発熱を抑制することができる。
【００１１】
また、請求項３に係る本発明の巻上げ装置付き充電ケーブルは、請求項２に記載の巻上げ装置付き充電ケーブルにおいて、前記制御手段は、前記温度検出手段で検出された温度に基づいて前記冷却手段の動作能力を可変にする機能を有していることを特徴とする。
【００１２】
請求項３に係る本発明では、温度検出手段で検出された温度に応じて冷却手段の動作能力を設定することができる。例えば、冷却手段として冷却ファンを適用した場合、温度が高い場合、ファンの回転数を高くし、温度が低い場合、ファンの回転数を低くする、といった制御を行うことができる。
【００１３】
また、請求項４に係る本発明の巻上げ装置付き充電ケーブルは、請求項２または請求項３に記載の巻上げ装置付き充電ケーブルにおいて、前記ケーブルの巻上げ状態を検出する巻上げ状態検出手段を備え、前記制御手段には、前記巻上げ検出手段の検出情報が入力され、前記制御手段は、前記巻上げ検出手段により前記ケーブルが巻上げられていることを検出した場合に、前記冷却手段を動作させることを特徴とする。
【００１４】
請求項４に係る本発明では、巻上げ検出手段によりケーブルの巻上げ状態が検出された場合（巻上げられていることが検出された場合）、制御手段により冷却手段を動作させることができる。例えば、ケーブルの温度に係らず、ケーブルが巻上げられている場合には、冷却手段を動作させてケーブルの発熱を抑制することができる。
【００１５】
また、請求項５に係る本発明の巻上げ装置付き充電ケーブルは、請求項１から請求項４のいずれか一項に記載の巻上げ装置付き充電ケーブルにおいて、前記巻上げ装置は、前記ケーブルが巻回されるリール部材と、前記リール部材を収容するケースと、前記ケースに搭載され、充電用の安全機器とを有していることを特徴とする。
【００１６】
請求項５に係る本発明では、リール部材にケーブルを巻上げることができる。例えば、ケースに温度検出手段を設けることができる。また、リール部材の回転状況を検出することで巻上げ状態検出手段とすることができる。そして、ケースに充電用の安全機器（漏電遮断等を行うＣＣＩＤ）を一体に収容した巻上げ装置付き充電ケーブルとすることができ、省スペース化を図ることができる。
【発明の効果】
【００１７】
本発明の巻上げ装置付き充電ケーブルは、ケーブルの一部が巻上げられている状態で充電（通電）を行ってもケーブルの発熱量を抑制することが可能になる。
【図面の簡単な説明】
【００１８】
【図１】本発明の一実施例に係る巻上げ装置付き充電ケーブルを使用している状態の外観図である。
【図２】本発明の一実施例に係る巻上げ装置付き充電ケーブルの概略平面図である。
【図３】図２中のＩＩＩ−ＩＩＩ線矢視図である。
【図４】本発明の一実施例に係る巻上げ装置付き充電ケーブルの冷却動作説明図である。
【発明を実施するための形態】
【００１９】
図１には本発明の一実施例に係る巻上げ装置付き充電ケーブルを使用して家庭用の電源から充電を行っている状態の外観を示してある。
【００２０】
図１に示すように、巻上げ装置付き充電ケーブル１は、ケーブル２の一端に電源プラグ３が備えられ、ケーブル２の他端に給電プラグ４が備えられている。そして、ケーブル２が巻上げ装置５に巻上げられて収容できるようになっている。巻上げ装置５の内部は、後述する冷却手段としての冷却ファンの動作により冷却されるようになっている。
【００２１】
家屋などの壁面の電源１１（電源側）に電源プラグ３が挿入され、車両１２の給電口に給電プラグ４が挿入され、車両１２のバッテリが充電されるようになっている。
【００２２】
上述した巻上げ装置付き充電ケーブル１では、後述する冷却ファンを動作させることで、ケーブル２の一部（全部）が巻上げられている状態で充電（通電）を行ってもケーブル２の発熱量を抑制することが可能になる。
【００２３】
図２、図３に基づいて巻上げ装置５を具体的に説明する。
図２には巻上げ装置付き充電ケーブル１の巻上げ装置５の内部構造を説明するための平断面の状況、図３には図２中のＩＩＩ−ＩＩＩ線矢視の状況を示してある。
【００２４】
図２、図３に示すように、巻上げ装置５は、ケーブル２が巻回されるリール部材としてのリール１５と、リール１５を収容するケース１６を有している。リール１５は、例えば、一方側に回転が付勢されてケーブル２の巻回状態が維持される構成となっている。
【００２５】
リール１５にケーブル２を巻回することで、巻上げ装置付き充電ケーブル１をコンパクトにすることができ、ケース１６を持ち運ぶことで、また、ケース１６を収納することで、巻上げ装置付き充電ケーブル１の扱いが容易になり、充電の煩わしさを低減することができる。
【００２６】
ケース１６の下面には通気孔１７が形成され、ケース１６の上方には冷却手段としての冷却ファン１８が備えられている。冷却ファン１８の動作により、ケーブル２に向けて冷却風が送られる。ケース１６の上部には、充電用の安全機器（例えば、漏電遮断等を行うＣＣＩＤ）１９が設けられている。
【００２７】
ケース１６に安全機器１９を設けたことにより、安全機器１９を一体に収容した巻上げ装置付き充電ケーブル１とすることができ、省スペース化を図ることができる。
【００２８】
ケース１６には、ケーブル２の温度（ケース１６の内部の温度）を検出する温度検出手段２１が備えられ、温度検出手段２１の検出情報は制御手段２２に入力される。制御手段２２では、入力された温度Ｔが所定温度ＴＢよりも高い場合に、冷却ファン１８を動作させる。
【００２９】
制御手段２２は、温度検出手段２１で検出された温度に基づいて冷却ファン１８の動作能力（回転数）を可変にする機能を有している。例えば、温度が高い場合、冷却ファン１８の回転数を高くし、温度が低い場合、冷却ファン１８の回転数を低くし、温度に応じて冷却ファン１８の動作を制御することができる。
【００３０】
ケース１６には、リール１５の回転状態を検出する、即ち、ケーブル２の巻上げ状態を検出する巻上げ状態検出手段２５が備えられている。巻上げ状態検出手段２５の検出情報は制御手段２２に入力され、制御手段２２は、ケーブル２が巻上げられていることを検出した場合に、冷却ファン１８を動作させるようになっている。
【００３１】
例えば、ケーブル２の温度（ケース１６の内部の温度）に係らず、ケーブル２が巻上げられている場合には、冷却ファン１８を動作させてケーブル２の発熱を抑制することができる。
【００３２】
図４に基づいて冷却動作の一例を具体的に説明する。
図４には巻上げ装置付き充電ケーブル１の冷却動作の状況を説明するフローチャートを示してある。
【００３３】
充電（通電）がスタートすると、ステップＳ１でケーブル２が巻上げられているか否かが判断される。ステップＳ１でケーブル２が巻上げられていると判断された場合、ステップＳ２で冷却ファン１８が作動される。ステップＳ１でケーブル２が巻上げられていないと判断された場合、ステップＳ３で温度Ｔが所定温度ＴＢよりも高いか否かが判断される。
【００３４】
ステップＳ３で温度Ｔが所定温度ＴＢよりも高いと判断された場合、ステップＳ２に移行する。ステップＳ３で温度Ｔが所定温度ＴＢよりも高くないと判断された場合、ステップＳ４で冷却ファン１８の作動が停止される処理が施されて終了する。
【００３５】
尚、ケーブル２の巻上げの判断を行わずに、温度だけの判断で冷却ファン１８の作動を制御することも可能である。
【００３６】
ステップＳ２で冷却ファン１８を作動させた後、ステップＳ５で温度の状況が判断される。即ち、ステップＳ５では、温度検出手段２１で検出された温度Ｔの範囲がＡ、Ｂ、Ｃ（Ａ＞Ｂ＞Ｃ）のいずれにあるかが判断される。
【００３７】
ステップＳ５で一番高い温度の範囲であるＡと判断された場合、ステップＳ６で冷却ファン１８の回転数が高い状態に設定されて処理が終了する。ステップＳ５で中程度の温度の範囲であるＢと判断された場合、ステップＳ７で冷却ファン１８の回転数が中の状態に設定されて処理が終了する。ステップＳ５で低い温度の範囲であるＣと判断された場合、ステップＳ８で冷却ファン１８の回転数が低い状態に設定されて処理が終了する。
【００３８】
つまり、温度の状況により、冷却ファン１８を３段階のレベルで作動させることができ、温度に応じて適切な冷却を行うことができる。
【００３９】
上述したように、巻上げ装置付き充電ケーブル１では、温度に応じて冷却ファン１８を作動させることができるので、ケーブル２の一部（全部）が巻上げられて発熱しやすい状況で充電（通電）を行っても、ケース１６の内部（ケーブル２）が冷却され、ケーブル２の発熱量を抑制することが可能になる。
【産業上の利用可能性】
【００４０】
本発明は、乗員保護装置の産業分野で利用することができる。
【符号の説明】
【００４１】
１  巻上げ装置付き充電ケーブル
２  ケーブル
３  電源プラグ
４  給電プラグ
５  巻上げ装置
１１  電源
１２  車両
１５  リール
１６  ケース
１７  通気孔
１８  冷却ファン
１９  安全機器
２１  温度検出手段
２２  制御手段
２５  巻上げ状態検出手段
【図１】
2020182298.tif 000003
【図２】
2020182298.tif 000004
【図３】
2020182298.tif 000005
【図４】
2020182298.tif 000006